(57)【要約】      （修正有）【課題】一部に切り欠き部が形成されたビーズを誰でもが簡単に連結していくことができるビーズ連結装置を提供する。【解決手段】ビーズ連結装置は、ビーズ５を重ねて収容し、ビーズ５の切り欠き部６を係合して切り欠き部６を下方に位置させる案内片１０２と、一端に位置するビーズ５のみを下方に落下させる押出口９１が形成され、収容されたビーズ５を一端側に押圧する押圧手段１１１が設けられた案内路９０と、押出口９１上部に位置するビーズ５を押出口９１を介して下方に押し出す押出手段と、押出手段によって押し出されたビーズ５を保持する保持部が形成された保持手段と、押出手段と連動して保持手段を回転させ、保持手段に保持されたビーズ５の向きを変え、押出手段によって押し出されるビーズ５の切り欠き部６の挿通を容易にする回転手段とが備えられている。【選択図】図１０
2010167184.tif 000002
【特許請求の範囲】
【請求項１】
リング状に形成され、所定箇所に切り欠き部が形成されたビーズを連結するビーズ連結装置であって、
装置本体には、
ビーズを重ねて収容し、ビーズの切り欠き部を係合して切り欠き部を下方に位置させる案内片を備え、一端に位置するビーズのみを下方に落下させる押出口が形成され、収容されたビーズを一端側に押圧する押圧手段が設けられた案内路と、
押出口上部に位置するビーズを押出口を介して下方に押し出す押出手段と、
押出手段によって押し出されたビーズを保持する保持部が形成された保持手段と、
押出手段と連動して保持手段を回転させ、保持手段に保持されたビーズの向きを変え、押出手段によって押し出されるビーズの切り欠き部の挿通を容易にする回転手段とが備えられており、
ビーズ同士を連結していくことを特徴とするビーズ連結装置。
【請求項２】
前記案内路は、装置本体に着脱可能に設けられた収納ケースに設けられていることを特徴とする請求項１記載のビーズ連結装置。
【請求項３】
前記保持部は、略十字状に直交する第１の保持孔と第２の保持孔とからなり、回転手段によって回転させられることによって、押出手段によって押し出されるビーズを第１の保持孔と第２の保持孔に交互に保持させることを特徴とする請求項１又は２記載のビーズ連結装置。
【請求項４】
第１の保持孔及び第２の保持孔は、それぞれ一つのビーズのみを保持するように形成され、第１の保持孔又は第２の保持孔に保持されたビーズが、次に押出手段によって押し出され、第２の保持孔又は第１の保持孔に保持されるビーズに連結されるのと略同時に第１の保持孔又は第２の保持孔から押し出されることを特徴とする請求項３記載のビーズ連結装置。
【請求項５】
前記回転手段は、押出手段の押出動作時に連動せず、押出手段の復帰動作時に連動して保持手段を略９０度回転させることを特徴とする請求項３又は４記載のビーズ連結装置。
【請求項６】
リング状に形成され、所定箇所に切り欠き部が形成されたビーズを連結していくビーズ連結方法であって、
切り欠き部を下方に向けた状態で多数重ねたビーズを押圧手段で一方に付勢し、多数重ねたビーズの一方端の第１のビーズを所定位置に位置決めする位置決め工程と、
所定位置に位置決めされた第１のビーズを押出手段の押出動作により下方に押し出す押出工程と、
下方に押し出された第１のビーズを保持手段により一旦保持する保持工程と、
押出手段の復帰動作により押出手段を元の状態に復帰させる復帰工程と、
押出手段の復帰動作に連動して保持手段を略９０度回転させる回転工程と、
前記位置決め工程により位置決めされた次の第２のビーズを押出手段の押出動作により下方に押し出す押出工程と、
下方に押し出された次の第２のビーズの切り欠き部を保持手段により一旦保持された第１のビーズに通して第２のビーズを第１のビーズに連結する一方、第１のビーズを保持手段から離脱させ、第２のビーズを保持手段により一旦保持させる連結工程と、
からなることを特徴とするビーズ連結方法。
【発明の詳細な説明】
【技術分野】
【０００１】
本発明は、一部が切り欠かれたリング状のビーズを連結していくビーズ連結装置及びビーズ連結方法に関する。
【背景技術】
【０００２】
従来、ビーズ連結装置は、ビーズに形成された穴に糸を通して、ビーズを連結する構成ものが多数存在した（例えば、特許文献１〜４）。
【先行技術文献】
【特許文献】
【０００３】
【特許文献１】特許第３７２２７５５号公報
【特許文献２】特許第２９１５３５１号公報
【特許文献３】実用新案登録第３１０１７４７号公報
【特許文献４】実公平３−４５７５４号公報
【発明の概要】
【発明が解決しようとする課題】
【０００４】
上記したビーズ連結装置は、リング状のビーズに糸を通してビーズを連結していくものであり、一部に切り欠き部が形成されたビーズを直接連結していく構成のものは存在しなかった。従って、切り欠き部が形成されたビーズを直接連結していく場合、一対のビーズを交叉させ、一方のビーズの切り欠き部を他方のビーズに挿通させるようにして行うが、上記したように直接連結するビーズ連結装置がないので手で行わなければならなかった。このような連結作業は、手先の不器用な者、特に幼児にとって困難であるという問題点があった。
【０００５】
本願発明は、上記問題点に鑑み案出したものであって、一部に切り欠き部が形成されたビーズを誰でもが簡単に連結していくことができるビーズ連結装置を提供することを第１の目的とする。また、一部に切り欠き部が形成されたビーズを直接連結していくビーズ連結方法を提供することを第２の目的とする。
【課題を解決するための手段】
【０００６】
本願請求項１記載のビーズ連結装置は、上記第１の目的を達成するため、リング状に形成され、所定箇所に切り欠き部が形成されたビーズを連結するビーズ連結装置であって、装置本体には、ビーズを重ねて収容し、ビーズの切り欠き部を係合して切り欠き部を下方に位置させる案内片を備え、一端に位置するビーズのみを下方に落下させる押出口が形成され、収容されたビーズを一端側に押圧する押圧手段が設けられた案内路と、押出口上部に位置するビーズを押出口を介して下方に押し出す押出手段と、押出手段によって押し出されたビーズを保持する保持部が形成された保持手段と、押出手段と連動して保持手段を回転させ、保持手段に保持されたビーズの向きを変え、押出手段によって押し出されるビーズの切り欠き部の挿通を容易にする回転手段とが備えられており、ビーズ同士を連結していくことを特徴とする。
【０００７】
本願請求項２記載のビーズ連結装置は、上記第１の目的を達成するため、前記案内路は、装置本体に着脱可能に設けられた収納ケースに設けられていることを特徴とする。
【０００８】
本願請求項３記載のビーズ連結装置は、上記第１の目的を達成するため、前記保持部は、略十字状に直交する第１の保持孔と第２の保持孔とからなり、回転手段によって回転させられることによって、押出手段によって押し出されるビーズを第１の保持孔と第２の保持孔に交互に保持させることを特徴とする。
【０００９】
本願請求項４記載のビーズ連結装置は、上記第１の目的を達成するため、第１の保持孔及び第２の保持孔は、それぞれ一つのビーズのみを保持するように形成され、第１の保持孔又は第２の保持孔に保持されたビーズが、次に押出手段によって押し出され、第２の保持孔又は第１の保持孔に保持されるビーズに連結されるのと略同時に第１の保持孔又は第２の保持孔から押し出されることを特徴とする。
【００１０】
本願請求項５記載のビーズ連結装置は、上記第１の目的を達成するため、前記回転手段は、押出手段の押出動作時に連動せず、押出手段の復帰動作時に連動して保持手段を略９０度回転させることを特徴とする。
【００１１】
本願請求項６記載のビーズ連結方法は、上記第２の目的を達成するため、リング状に形成され、所定箇所に切り欠き部が形成されたビーズを連結していくビーズ連結方法であって、切り欠き部を下方に向けた状態で多数重ねたビーズを押圧手段で一方に付勢し、多数重ねたビーズの一方端の第１のビーズを所定位置に位置決めする位置決め工程と、所定位置に位置決めされた第１のビーズを押出手段の押出動作により下方に押し出す押出工程と、下方に押し出された第１のビーズを保持手段により一旦保持する保持工程と、押出手段の復帰動作により押出手段を元の状態に復帰させる復帰工程と、押出手段の復帰動作に連動して保持手段を略９０度回転させる回転工程と、前記位置決め工程により位置決めされた次の第２のビーズを押出手段の押出動作により下方に押し出す押出工程と、下方に押し出された次の第２のビーズの切り欠き部を保持手段により一旦保持された第１のビーズに通して第２のビーズを第１のビーズに連結する一方、第１のビーズを保持手段から離脱させ、第２のビーズを保持手段により一旦保持させる連結工程と、からなることを特徴とする。
【発明の効果】
【００１２】
本願発明に係るビーズ連結装置は、リング状に形成され、所定箇所に切り欠き部が形成されたビーズを重ね合わせ、当該切り欠き部を案内片に係合させることにより、切り欠き部が下方に向いて案内路に収容させることができる。案内路に収容された複数のビーズは、押圧手段によって一端側に押圧され、複数のビーズの内一端に位置するビーズのみが案内路に形成された押出口の上部に位置することになる。押出手段の押出動作によって押出口の上部に位置するビーズのみが押出口から押し出され、押し出されたビーズが保持手段の保持部によって保持される。押出手段が反押出動作（復帰動作）によって元の位置に復帰すると、案内路に収容された複数のビーズは、押圧手段によって一端側に押圧されているので、押し出されたビーズの次のビーズが一端に位置して押出口の上部に位置する。押出手段の動作と連動して回転手段が動作し、この回転手段によって保持手段が回転して、保持部に保持されたビーズの向きが変えられ、押出口の上部に位置する次のビーズと向きが異なるので、押出手段によって押し出される次のビーズの切り欠き部の挿通を容易にする。押出手段の押出動作によって押出口の上部に位置する次のビーズが押出口から押し出され、押し出された次のビーズが保持手段の保持部に保持されているビーズを連結して、ビーズ同士を連結していくのと略同時に保持部に保持される。
【００１３】
このように本願発明に係るビーズ連結装置は、押圧手段の押圧動作でビーズを連結していくことができるので、手先の不器用な人、例えば幼児であっても簡単にビーズ連結遊びをすることができるという効果がある。また、切り欠き部を案内片に係合させることによりビーズを重ねて案内路に収納することができるので、ビーズの形状が円形のみならず、星形、長方形、正方形、ハート形等であっても案内路に収納することができ、形状・大きさに関係なく連結していくことができるという効果がある。
【００１４】
本願発明に係るビーズ連結装置は、前記案内路が、装置本体に着脱可能に設けられた収納ケースに設けられているので、収納ケースを装置本体から外して、ビーズを簡単に収納ケースの案内路に収容することができるという効果がある。
【００１５】
本願発明に係るビーズ連結装置は、前記保持部は、略十字状に直交する第１の保持孔と第２の保持孔とからなり、回転手段によって回転させられることによって、押出手段によって押し出されるビーズを第１の保持孔と第２の保持孔に交互に保持させることができる。即ち、本願発明に係るビーズ連結装置は、押出手段の押出動作によって押し出されたビーズが保持手段の第１の保持孔によって保持される。押出手段の動作と連動して回転手段が動作し、この回転手段によって保持手段が回転して、第１の保持孔に保持されたビーズの向きが変えられる。押出手段の押出動作によって押し出された次のビーズが保持手段の第１の保持孔に保持されているビーズを連結し、略同時に第２の保持孔に保持される。このように、本願発明に係るビーズ連結装置は、押出手段によって押し出されるビーズを第１の保持孔と第２の保持孔に交互に保持させるので、確実にビーズを連結していくことができるという効果がある。
【００１６】
本願発明に係るビーズ連結装置は、第１の保持孔及び第２の保持孔が、それぞれ一つのビーズのみを保持するように形成され、第１の保持孔又は第２の保持孔に保持されたビーズが、次に押出手段によって押し出され、第２の保持孔又は第１の保持孔に保持されるビーズに連結されるのと略同時に第１の保持孔又は第２の保持孔から押し出されるので、ビーズを連続的に繋げて鎖を簡単に形成することができるという効果がある。
【００１７】
本願発明に係るビーズ連結装置は、前記回転手段は、押出手段の押出動作時に連動せず、押出手段の復帰動作時に連動して保持手段を略９０度回転させるので、押出動作時に保持手段の保持部に保持されたビーズが位置決めされて動くことがなく、そのため、ビーズ同士を安定して連結していくことができるという効果がある。
【００１８】
本願発明に係るビーズ連結方法は、位置決め工程により、切り欠き部を下方に向けた状態で多数重ねたビーズを押圧手段で一方に付勢し、多数重ねたビーズの一方端の第１のビーズを所定位置に位置決めし、押出工程により、所定位置に位置決めされた第１のビーズを押出手段の押出動作により下方に押し出し、保持工程により、下方に押し出された第１のビーズを保持手段により一旦保持し、復帰工程により、押出手段の復帰動作により押出手段を元の状態に復帰させ、回転工程により、押出手段の復帰動作に連動して保持手段を略９０度回転させ、再度押出工程により、前記位置決め工程により位置決めされた次の第２のビーズを押出手段の押出動作により下方に押し出し、連結工程により、下方に押し出された次の第２のビーズの切り欠き部を保持手段により一旦保持された第１のビーズに通して第２のビーズを第１のビーズに連結する一方、第１のビーズを保持手段から離脱させ第２のビーズを保持手段により一旦保持させる。このように本願発明に係るビーズ連結方法は、押圧手段の押圧動作でビーズを連結していくことができるので、手先の不器用な人、例えば幼児であっても簡単にビーズ連結遊びをすることができるという効果がある。
【図面の簡単な説明】
【００１９】
【図１】本願発明に係るビーズ連結装置を上方から視た全体斜視図である。
【図２】図１のビーズ連結装置を下方から視た全体斜視図である。
【図３】図１のビーズ連結装置のカバー体を外した全体斜視図である。
【図４】図１のビーズ連結装置の要部斜視図である。
【図５】図１のビーズ連結装置の要部斜視図である。
【図６】ビーズの保持手段の分解説明図である。
【図７】図１のビーズ連結装置のビーズホルダーの全体斜視図である。
【図８】図７のビーズホルダーの説明図である。
【図９】図７のビーズホルダーの分解斜視図である。
【図１０】図７のビーズホルダーの分解説明図である。
【図１１】図７のビーズホルダーの押圧手段の説明斜視図である。
【図１２】図１のビーズ連結装置の側面図である。
【図１３】図１２のビーズ連結装置のビーズホルダーを外した側面図である。
【図１４】図１２のビーズ連結装置の動きを説明する側面図である。
【図１５】図１２のビーズ連結装置の正面断面図である。
【図１６】図１４のビーズ連結装置の動きを説明する正面断面図である。
【図１７】図１２のビーズ連結装置の動きを説明する正面断面図である。
【図１８】図１２のビーズ連結装置の動きを説明する正面断面図である。
【図１９】図７のビーズホルダーの断面説明図である。
【図２０】図７のビーズホルダーの説明図である。
【図２１】図２０のビーズホルダーの説明断面図である。
【図２２】図２１のビーズホルダーの動きを説明する断面図である。
【図２３】図７のビーズホルダーの開閉板の動きを説明する説明図である。
【発明を実施するための形態】
【００２０】
本願発明の一つの実施の形態の概要を図１乃至図２３に基づいて説明する。ビーズ連結装置の概要について説明する。ビーズ連結装置１は、リング状に形成され、所定箇所に切り欠き部６が形成されたビーズ５を連結するものである。装置本体２には、ビーズ５を重ねて収容し、ビーズ５の切り欠き部６を係合して切り欠き部６を下方に位置させる案内片１０２を備えている。さらに装置本体２には、一端に位置するビーズ５のみを下方に落下させる押出口９１が形成され、収容されたビーズ５を一端側に押圧する押圧手段１１１が設けられた案内路９０を備えている。
【００２１】
また、装置本体２には、押出口９１上部に位置するビーズ５を押出口９１を介して下方に押し出す押出手段６０と、押出手段６０によって押し出されたビーズ５を保持する保持部３５が形成された保持手段３１と、押出手段６０と連動して保持手段３１を回転させ、保持手段３１に保持されたビーズ５の向きを変え、押出手段６０によって押し出されるビーズ５の切り欠き部６の挿通を容易にする回転手段７５とが備えられている。
【００２２】
ビーズ連結装置１は、ビーズ５を重ね合わせ、切り欠き部６を案内片１０２に係合させることにより、切り欠き部６が下方に向いて案内路９０に収容させることができる。案内路９０に収容された複数のビーズ５は、押圧手段１１１によって一端側に押圧され、複数のビーズ５の内一端に位置するビーズ５ａのみが案内路９０に形成された押出口９１の上部に位置することになる。
【００２３】
押出手段６０の押出動作によって押出口９１の上部に位置するビーズ５ａのみが押出口９１から押し出され、押し出されたビーズ５ａが保持手段３１の保持部３５によって保持される。押出手段６０が反押出動作（復帰動作）によって元の位置に復帰すると、案内路９０に収容された複数のビーズ５は、押圧手段１１１によって一端側に押圧されているので、押し出されたビーズ５ａの次のビーズ５ｂが一端に位置して押出口９１の上部に位置する。
【００２４】
押出手段６０の動作と連動して回転手段７５が動作し、この回転手段７５によって保持手段３１が回転して、保持部３５に保持されたビーズ５ａの向きが変えられ、押出口９１の上部に位置する次のビーズ５ｂと向きが異なるので、押出手段６０によって押し出される次のビーズ５ｂの切り欠き部６の挿通を容易にする。押出手段６０の押出動作によって押出口９１の上部に位置する次のビーズ５ｂが押出口９１から押し出され、押し出された次のビーズ５ｂが保持手段３１の保持部３５に保持されているビーズ５ａを連結して、ビーズ５同士を連結していくのと略同時に保持部３５に保持される。
【００２５】
このようにビーズ連結装置１は、押圧手段１１１の押圧動作でビーズ５を連結していくことができるので、手先の不器用な人、例えば幼児であっても簡単にビーズ連結遊びをすることができる。また、切り欠き部６を案内片１０２に係合させることによりビーズ５を重ねて案内路９０に収納することができるので、ビーズ５の形状が円形のみならず、星形、長方形、正方形、ハート形等であっても案内路９０に収納することができ、形状・大きさに関係なく連結していくことができる。
【００２６】
ビーズ連結装置１は、前記案内路９０が、装置本体２に着脱可能に設けられた収納ケース８１に設けられている。ビーズ連結装置１は、前記案内路９０が、装置本体２に着脱可能に設けられた収納ケース８１に設けられているので、収納ケース８１を装置本体２から外して、ビーズ５を簡単に収納ケース８１の案内路９０に収容することができる。
【００２７】
ビーズ連結装置１は、前記保持部３５が、略十字状に直交する第１の保持孔３６と第２の保持孔３７とからなり、回転手段７５によって回転させられることによって、押出手段６０によって押し出されるビーズ５を第１の保持孔３６と第２の保持孔３７に交互に保持させることができる。
【００２８】
即ち、ビーズ連結装置１は、押出手段６０の押出動作によって押し出されたビーズ５ａが保持手段３１の第１の保持孔３６によって保持される。押出手段６０の動作と連動して回転手段７５が動作し、この回転手段７５によって保持手段３１が回転して、第１の保持孔３６に保持されたビーズ５ａの向きが変えられる。押出手段６０の押出動作によって押し出された次のビーズ５ｂが保持手段３１の第１の保持孔３６に保持されているビーズ５ａを連結し、略同時に第２の保持孔３７に保持される。このように、ビーズ連結装置１は、押出手段６０によって押し出されるビーズ５を第１の保持孔３６と第２の保持孔３７に交互に保持させるので、確実にビーズ５を連結していくことができる。
【００２９】
ビーズ連結装置１は、第１の保持孔３６及び第２の保持孔３７が、それぞれ一つのビーズ５のみを保持するように形成され、第１の保持孔３６又は第２の保持孔３７に保持されたビーズ５ａが、次に押出手段６０によって押し出され、第２の保持孔３７又は第１の保持孔３６に保持されるビーズ５ｂに連結されるのと略同時に第１の保持孔３６又は第２の保持孔３７から押し出されるので、ビーズ５を連続的に繋げて鎖を簡単に形成することができる。
【００３０】
ビーズ連結装置１は、前記回転手段７５が、押出手段６０の押出動作時に連動せず、押出手段６０の復帰動作時に連動して保持手段３１を略９０度回転させるので、押出動作時に保持手段３１の保持部３５に保持されたビーズ５が位置決めされて動くことがなく、そのため、ビーズ５同士を安定して連結していくことができる。
【００３１】
ビーズ連結方法は、リング状に形成され、所定箇所に切り欠き部６が形成されたビーズ５を連結していくビーズ連結方法であって、切り欠き部６を下方に向けた状態で多数重ねたビーズ５を押圧手段１１１で一方に付勢し、多数重ねたビーズ５の一方端の第１のビーズ５ａを所定位置に位置決めする位置決め工程と、所定位置に位置決めされた第１のビーズ５ａを押出手段６０の押出動作により下方に押し出す押出工程と、下方に押し出された第１のビーズ５ａを保持手段３１により一旦保持する保持工程と、押出手段６０の復帰動作により押出手段６０を元の状態に復帰させる復帰工程と、押出手段６０の復帰動作に連動して保持手段３１を略９０度回転させる回転工程と、前記位置決め工程により位置決めされた次の第２のビーズ５ｂを押出手段６０の押出動作により下方に押し出す押出工程と、下方に押し出された次の第２のビーズ５ｂの切り欠き部６を保持手段３１により一旦保持された第１のビーズ５ａに通して第２のビーズ５ｂを第１のビーズ５ａに連結する一方、第１のビーズ５ａを保持手段３１から離脱させ、第２のビーズ５ｂを保持手段３１により一旦保持させる連結工程とからなる。このようにビーズ連結方法によれば、押圧手段１１１の押圧動作でビーズ５を連結していくことができるので、手先の不器用な人、例えば幼児であっても簡単にビーズ連結遊びをすることができる。
【００３２】
さらに、ビーズ連結装置について詳細に説明する。図１乃至図３に示すように、ビーズ連結装置１は、装置本体２と、装置本体２を覆うカバー体３を有する。装置本体２には、上壁１１と、上壁１１の左部に設けられた左壁１２と、上壁１１の前部に設けられた前壁１３と、上壁１１の後部に設けられた後壁１５と、下壁１６とからなり、右部が開放されたビーズ連結部１７を有する。図５に示すように、下壁１６には、左壁１２の略中間部から右部に向かって下降傾斜する傾斜壁１９が形成されている。
【００３３】
図６に示すように、上壁１１には、上壁１１の下面１１ａ側に突出する略円形の収納凹部２１が形成されている。収納凹部２１は、円形の底壁２２と、底壁２２の周縁に設けられた周壁２３とからなる。底壁２２の略中央には、開口２５が形成されている。また、収納凹部２１の左側、即ち底壁２２と周壁２３の左側には、切り欠き部２６が形成されている。また、上壁１１の左縁１１ｃには、後記回転操作片７５を挿通する挿通凹部２７が形成されている。
【００３４】
前記収納凹部２１には、保持盤（保持手段）３１が回動可能に設けられている。保持盤（保持手段）３１は、円盤状に形成され、周縁にかさ歯車３２が形成されている。保持盤３１の中央には、ビーズ５を保持する保持部３５が形成されている。保持部３５は、略十字状に直交する第１の保持孔３６と第２の保持孔３７とからなる。前記第１の保持孔３６と前記第２の保持孔３７は、前記開口２５と連通するようになっている。
【００３５】
また、図３に示すように、上壁１１の上面１１ｂには、前記収納凹部２１を覆うことにより、保持盤（保持手段）３１を収納凹部２１内に回動可能に取り付ける基板４１が設けられている。基板４１の所定位置には、ビーズ５を挿通する下部挿通孔４２が形成されている。基板４１の上面４１ａには、ビーズホルダー８０を着脱可能に装着することができる装着室４５が形成されている。装着室４５は、前記下部挿通孔４２を囲むようにして、左側壁４６と、右側壁４７と、前側壁４４と、天壁４８とからなり、天壁４８には、前記下部挿通孔４２と対向する位置に上部挿通孔４９が形成されている。左側壁４６と右側壁４７の下部には、ストッパー片４６ａ，４７ａが形成されている。
【００３６】
図５、１５に示すように、左壁１２には、前記保持盤３１のかさ歯車３２と噛み合うかさ歯車５１が左壁１２に固定された支軸５２に回動可能に取り付けられている。かさ歯車５１の側面には、回転円板５３が一体に固定されている。回転円板５３の側面の外周縁近傍には、略９０度毎の間隔で係止突起５５が突設されている。前記支軸５２の先端には、固定円板５６が設けられている。支軸５２には、バネ部材５７が装着されている。当該バネ部材５７は、前記固定円板５６とかさ歯車５１の間に介装されており、かさ歯車５１を左壁１２に圧接させ、かさ歯車５１の回転に抵抗がかかるようにしている。
【００３７】
図３に示すように、前記基板４１には、３箇所にガイド軸６１が立設されており、当該ガイド軸６１にバネ部材６２が取り付けられている。基板４１の上部には、基板４１と略同じ大きさの押出板６５が配置されている。押出板６５の下面には、前記上部挿通孔４９及び下部挿通孔４２を挿通することが可能な押出片６６が設けられている。押出片６６の下端には、ビーズ５の上端を係合する係合片６７が形成されている。係合片６７がビーズ５に係合する部分には、ビーズ５の前縁と後縁の両側を挟持する一対の爪６９，６９が形成されている。この押出板６５と押出片６６によって、ビーズ５を下方に押し出す押出手段６０を構成している。
【００３８】
押出板６５の所定箇所には、基板４１のガイド軸６１を挿通するガイド孔７２が形成されたボス７１が設けられている。押出板６５は、ガイド軸６１に沿って案内され、上下方向に移動可能であり、ボス７１が前記バネ部材６２の上端に当接して静止状態となっている。この静止状態（初期状態）の時、押出片６６が前記上部挿通孔４９及び下部挿通孔４２の上方に位置しており、押出板６５をバネ部材６２の弾性に抗して下方に押し下げると、押出片６６が前記上部挿通孔４９及び下部挿通孔４２を挿通する。
【００３９】
図１、図４に示すように、押出板６５の上面には、押出軸７３が取り付けられている。押出軸７３の上端には、円盤状の把持部材７４が取り付けられている。押出板６５の一側には、前記保持盤３１を略９０度回転させる回転操作片（回転手段）７５が取り付けられている。回転操作片（回転手段）７５は、長板状に形成され、上部７６が略９０度直角に折曲されて押出板６５の上面に接合して固定され、下部７７に係止爪７８が形成されている。係止爪７８は、下端から上方に向かって肉厚が厚くなる逆三角形状に形成され、上端が係止縁７９を形成する。回転操作片（回転手段）７５は、上壁１１の挿通凹部２７を挿通し、係止爪７８が前記回転円板５３の係止突起５５に係脱する。
【００４０】
図７乃至１０に示すように、前記装着室４５に着脱可能に装着されるビーズホルダー８０は、細長い直方体状に形成された収納ケース８１を有する。収納ケース８１は、細長い底板８２と、底板８２の左端に設けられた左側板８３と、底板８２の右端に設けられた右側板８５と、底板８２の前部に設けられた前側板８６と、底板８２の後端に設けられた後側板８７と、左側板８３と右側板８５の上端に設けられた上板８９とからなる。底板８２と、左側板８３と、右側板８５と、上板８９とによって、ビーズ５を前方に押圧する後記押圧手段１１１の案内路９０が形成される。
【００４１】
底板８２は、左側板８３と右側板８５より若干長く形成され、前部８２ａが前側板８６から僅かに突出する。底板８２の前側板８６より若干後側には、ビーズ５を落下させる押出口９１が形成されている。前側板８６の左側下端と左側板８３の前側下端には、前記左側壁４６のストッパー片４６ａを挿通させる切り欠き９２が形成されている。前側板８６の右側下端と右側板８５の前側下端には、前記右側壁４７のストッパー片４７ａを挿通させる切り欠き９３が形成されている。
【００４２】
上板８９は、左側板８３及び右側板８５より短く形成され、後端８９ｂが後側壁８７の上端に当接するが、前端８９ａが左側板８３及び右側板８５の約３／４程度まで位置している。したがって収納ケース８１は、前側板８６と上板８９の前端８９ａの間に開口９５が形成されており、この開口９５からビーズ５を収納することができる。上板８９の略中央には、長手方向に伸びるガイド溝８９ｃが形成されている。
【００４３】
収納ケース８１内には、前記押出口９１を開閉する開閉板１０１が設けられている。開閉板１０１は、細長板状に形成され、上面略中央に長手方向に伸びる案内片１０２が形成されている。この案内片１０２は、ビーズ５の切り欠き部６を挿通して、ビーズ５の切り欠き部６を常に下方に向けさせると共に、ビーズ５の形状・大きさを問わず確実にビーズ５を重ねた状態で前後方向に案内することができる。図１９に示すように、この開閉板１０１は、収納ケース８１の左側板８３の下端に形成されたガイド段部８３ａと右側板８５の下端に形成されたガイド段部８５ａに開閉板１０１の両端縁が案内され、底板８２上を前後方向に摺動できるようになっている。
【００４４】
開閉板１０１は、後部にバネ収納室１０３が形成されている。当該バネ収納室１０３にはバネ１０５が収納されている。バネ１０５は、後端が底板８２に設けられた凸部１０６に当接し、前端がバネ収納室１０３の前壁１０７に当接することにより、開閉板１０１を前方に付勢し、開閉板１０１の前端１１０を収納ケース８１の前側板８６に圧接させ、押出口９１を開閉板１０１により閉じさせている。
【００４５】
収納ケース８１内、即ち案内路９０内には、開閉板１０１の案内片１０２によって案内される複数のビーズ５を前方に押圧する押圧部材（押圧手段）１１１が前後方向に摺動可能に設けられている。押圧部材（押圧手段）１１１は、細長板状の上面板１１２と、上面板１１２の前端に設けられた前面板１１３と、上面板１１２の左端に設けられた左面板１１６と、上面板１１２の右端に設けられた右面板１１７とからなる。押圧部材（押圧手段）１１１は、収納ケース８１の後側板８７に形成された支軸１１８に巻装されたバネ部材１１９の前端が前面板１１３の後面１１４に当接して、前方に付勢され、前面板１１３の前面１１５がビーズ５を収納ケース８１の前面板１１３に押圧する。
【００４６】
押圧部材１１１は、前記開閉板１０１の上面に摺動可能であって、前面板１１３に前記案内片１０２を挿通する凹部１２１が形成され、上面板１１２に前記上板８９のガイド溝８９ｃから突出する操作片１２２が形成されている。なお、装置本体２の前壁１３及び下壁１６には、前記ビーズホルダー８０を支持する略Ｌ字状の支持部材１２５が形成されている。
【００４７】
ビーズ連結装置１は、上記構成を有し、以下のように使用することができる。図２０及び図２２に示すように、ビーズホルダー８０の操作片１２２を操作して押圧部材（押圧手段）１１１をバネ部材１１９の弾性に抗して後方に移動させ、収納ケース８１内に開口９５からビーズ５・・を収納する。ビーズ５・・は、切り欠き部６が案内片１０２に挿通して案内され、切り欠き部６が下方に位置する。収納ケース８１の押出口９１は、バネ１０５によって前方に付勢された開閉板１０１によって塞がれている。操作片１２２の操作を解除すると、バネ部材１１９の弾性により押圧部材１１１が前方に付勢され、押圧部材１１１の前面板１１３が重ねて収容された複数のビーズ５の最後部に位置するビーズ５ｃを前方に押圧し、複数のビーズ５の最前部に位置するビーズ５ａを収納ケース８１の前側板８６に当接させる。複数のビーズ５の最前部に位置するビーズ５ａは、押出口９１の上方に位置するが、押出口９１が開閉板１０１によって塞がれているので、下方に飛び出すことはない。
【００４８】
ビーズホルダー８０を装置本体２の装着室４５に装着すると、図１９，２２に示すように、左側壁４６に形成されたストッパー片４６ａが前側板８６の切り欠き９２内を通過して開閉板１０１の前端に当接し、右側壁４７に形成されたストッパー片４７ａが前側板８６の切り欠き９３内を通過して開閉板１０１の前端に当接することにより、開閉板１０１をバネ１０５の弾性に抗して後方に押し戻し、収納ケース８１の押出口９１を開放する。ビーズホルダー８０は、底板８２の前部８２ａが前側壁４４に当接して、装置本体２の装着室４５への装着が終了する。
【００４９】
なお、ビーズホルダー８０を装置本体２の装着室４５から引き出すと、左側壁４６に形成されたストッパー片４６ａが前側板８６の切り欠き９２内から外れて開閉板１０１の前端に当接しなくなり、同じく、右側壁４７に形成されたストッパー片４７ａが前側板８６の切り欠き９３内から外れて開閉板１０１の前端に当接しなくなるので、開閉板１０１がバネ１０５の弾性により前方に移動して、収納ケース８１の押出口９１を閉塞する。
【００５０】
図１５に示すように、ビーズ連結装置１は、初期状態において、押出片６６が装着室４５の上方に位置している。図１６に示すように、把持部材７４を把持して下方に押し込むと、押出軸７３を介して押出板６５をバネ部材６２の弾性に抗して下方に移動する。押出板６５の下方への移動に伴い、押出片６６が装着室４５の上部挿通孔４９、基板４１の下部挿通孔４２を通過するので、押出片６６の係合片６７が複数のビーズ５の最前部に位置するビーズ５ａを押出口９１、下部挿通孔４２から下方に押し出す。なお、係合片６７の先端には、ビーズ５の前縁と後縁の両側を挟持する一対の爪６９，６９が形成されているので、安定して押し出すことができる。下方に押し出されたビーズ５ａは、保持盤３１の第１の保持孔３６に密着して保持される。
【００５１】
図１４に示すように、押出板６５が下方へ移動すると、回転操作片７５も下方に移動し、係止爪７８が回転円板５３の次の係止突起５５を係止する。係止爪７８は、下方に向かって下降傾斜しているので、下方に移動する時には、係止突起５５をスムーズに乗り越える一方、上方に移動する時には、係止縁７９が係止突起５５を係止することになる。また、係止爪７８は、下方に移動する時には係止突起５５をスムーズに乗り越えるので、回転円板５３を回転させることはない。
【００５２】
図１７に示すように、把持部材７４の把持を解除すると、バネ部材６１の弾性により押出板６５が上方に移動して、初期状態に復帰する。押出板６５の上方への移動（復帰動作）に伴い、押出片６６が基板４１の下部挿通孔４２及び装着室４５の上部挿通孔４９の上方に引き戻され、複数のビーズ５の最前部の次に位置するビーズ５ｂが収納ケース８１の前側板８６に当接し、この次のビーズ５ｂが押出口９１の上方に位置する。
【００５３】
図１３に示すように、押出板６５が上方へ移動すると、回転操作片７５も上方に移動し、係止爪７８が回転円板５３の次の係止突起５５を係止して、回転円板５３を略９０度回転させる。図１７に示すように、回転円板５３が回転すると、かさ歯車５１が回転し、かさ歯車５１と噛み合うかさ歯車３２も回転するので、かさ歯車３２と一体の保持盤３１も略９０度回転する。保持盤３１が略９０度回転するので、第１の保持孔３６も略９０度回転し、第１の保持孔３６に保持されているビーズ５ａが上方に位置するビーズ５ｂと略直角となる。
【００５４】
図１８に示すように、把持部材７４を把持して下方に押し込むと、押出軸７３を介して押出板６５をバネ部材６１の弾性に抗して下方に移動する。押出板６５の下方への移動に伴い、押出片６６が装着室４５の上部挿通孔４９、基板４１の下部挿通孔４２を通過するので、押出片６６の係合片６７が複数のビーズ５の最前部に位置するビーズ５ｂを押出口９１、下部挿通孔４２から下方に押し出す。下方に押し出されたビーズ５ｂは、下方に向いている切り欠き部６が、保持盤３１の第１の保持孔３６に保持されたビーズ５ａを挿通して連結する一方、ビーズ５ａを第１の保持孔３６から押し出して第１の保持孔３７に密着して保持される。ビーズ５ｂ（５ａ）は、切り欠き部６がビーズ５ａ（５ｂ）の挿通時に僅かに開いてから元の状態に戻ってビーズ５ａ（５ｂ）を連結する。この連結時に作用する力によっては、ビーズ５ａ（５ｂ）を第１の保持孔３６（第２の保持孔３７）から押し出すことがない。即ちこの連結時に作用する力は、ビーズ５ａ（５ｂ）を密着して保持する保持力より小さくなっている。しかし、ビーズ５ｂ（５ａ）の内周縁がビーズ５ａ（５ｂ）の外周縁に接触することでビーズ５ａ（５ｂ）を押し出すことになる。このようにして、ビーズ連結装置１は、連続してビーズ５を連結していき、鎖を簡単に作ることができる。
【００５５】
前記ビーズホルダー８０は、部品供給装置（部品供給マガジン）として利用することができる。ビーズホルダー８０は、ビーズ（部品）５を重ねて収容し、一端に位置するビーズ(部品）５のみを下方に落下させる押出口９１が形成され、さらに収容されたビーズ（部品）５を一端側に押圧する押圧手段１１１が設けられた案内路９０を有する。ビーズホルダー８０は、押出手段６０によって押出口９１上部に位置するビーズ（部品）５が押出口９１から押し出されるようになっている。ビーズホルダー８０は、押出口９１を開閉する開閉板１０１が弾性部材（バネ）１０５によって閉じる方向に付勢され、押出口９１を閉じている。ビーズホルダー８０は、装置本体２に装着されると、装着本体２側に形成されたストッパー片４６ａ、４７ａに前記開閉板１０１が係合して開閉板１０１が弾性部材（バネ）１０５の弾性に抗して押出口９１を開く方向に移動し、押出口９１が開放される。このように、ビーズホルダー８０は、装置本体２に被装着時にあっては押出口９１が閉じられているので、ビーズ（部品）５の飛び出しを阻止すると共に、ゴミ等が内部に入り込むのを防止する。ビーズホルダー８０は、装置本体２に装着時にのみ押出口９１が開き、ビーズ（部品）５の供給を行うことが可能となる。
【産業上の利用可能性】
【００５６】
本願発明は、一部が切り欠かれたリング状のビーズを連結して鎖を形成するビーズ連結玩具に利用可能である。
【符号の説明】
【００５７】
１  ビーズ連結装置
２  装置本体
３  カバー体
５  ビーズ
６  切り欠き部
１１  上壁
１１ａ  下面
１１ｂ  上面
１１ｃ  左縁
１２  左壁
１３  前壁
１５  後壁
１６  下壁
１７  ビーズ連結部
１９  傾斜壁
２１  収納凹部
２２  底壁
２３  周壁
２５  開口
２６  切り欠き部
２７  挿通凹部
３１  保持盤（保持手段）
３２  かさ歯車
３５  保持部
３６  第１の保持孔
３７  第２の保持孔
４１  基板
４１ａ  上面
４２  下部挿通孔
４４  前側壁
４５  装着室
４６  左側壁
４６ａ  ストッパー片
４７  右側壁
４７ａ  ストッパー片
４８  天壁
４９  上部挿通孔
５１  かさ歯車
５２  支軸
５３  回転円板
５５  係止突起
５６  固定円板
５７  バネ部材
６０  押出手段
６１  ガイド軸
６２  バネ部材
６５  押出板
６６  押出片
６７  係合片
６９  爪
７１  ボス
７２  ガイド孔
７３  押出軸
７４  把持部材
７５  回転操作片（回転手段）
７６  上部
７７  下部
７８  係止爪
７９  係止縁
８０  ビーズホルダー
８１  収納ケース
８２  底板
８２ａ  前部
８３  左側板
８３ａ  ガイド段部
８５  右側板
８５ａ  ガイド段部
８６  前側板
８７  後側板
８９  上板
８９ａ  前端
８９ｂ  後端
８９ｃ  ガイド溝
９０  案内路
９１  押出口
９２  切り欠き
９３  切り欠き
９５  開口
１０１  開閉板
１０２  案内片
１０３  バネ収納室
１０５  バネ
１０６  凸部
１０７  前壁
１１０  前端
１１１  押圧部材（押圧手段）
１１２  上面板
１１３  前面板
１１４  後面
１１５  前面
１１６  左面板
１１７  右面板
１１８  支軸
１１９  バネ部材
１２１  凹部
１２２  操作片
１２５  支持部材
【図１】
2010167184.tif 000003
【図２】
2010167184.tif 000004
【図３】
2010167184.tif 000005
【図４】
2010167184.tif 000006
【図５】
2010167184.tif 000007
【図６】
2010167184.tif 000008
【図７】
2010167184.tif 000009
【図８】
2010167184.tif 000010
【図９】
2010167184.tif 000011
【図１０】
2010167184.tif 000012
【図１１】
2010167184.tif 000013
【図１２】
2010167184.tif 000014
【図１３】
2010167184.tif 000015
【図１４】
2010167184.tif 000016
【図１５】
2010167184.tif 000017
【図１６】
2010167184.tif 000018
【図１７】
2010167184.tif 000019
【図１８】
2010167184.tif 000020
【図１９】
2010167184.tif 000021
【図２０】
2010167184.tif 000022
【図２１】
2010167184.tif 000023
【図２２】
2010167184.tif 000024
【図２３】
2010167184.tif 000025